(57)【要約】      （修正有）【課題】Ｗｅｂページが更新されたことを端末装置を所持する顧客に通知できるＷｅｂページ更新通知システムを提供する。【解決手段】Ｗｅｂページ更新通知システム１０は、Ｗｅｂページを作成するためのＷｅｂページ作成手段を有するサーバ装置１２と、Ｗｅｂページを閲覧するアプリケーションが実行される端末装置１４と、を備え、Ｗｅｂページ作成手段が、Ｗｅｂページが更新された際に端末装置１４に対してプッシュ通知を配信するか否かを選択するための選択部を有する。【選択図】図１
0003206496.tif 000002
【実用新案登録請求の範囲】
【請求項１】
Ｗｅｂページを作成するためのＷｅｂページ作成手段を有するサーバ装置と、
前記Ｗｅｂページを閲覧するアプリケーションが実行される端末装置と、を備え、
前記Ｗｅｂページ作成手段が、前記Ｗｅｂページが更新された際に前記端末装置に対してプッシュ通知を配信するか否かを選択するための選択部を有するＷｅｂページ更新通知システム。
【請求項２】
請求項１記載の更新通知システムにおいて、
前記Ｗｅｂページ作成手段が、前記選択部にて前記プッシュ通知を配信することが選択された場合に、プッシュサーバに対して前記プッシュ通知を配信することを指令するプッシュ通知配信指令部を更に有し、
前記端末装置が、前記プッシュサーバから前記プッシュ通知を受信すると、前記アプリケーションの通知アイコンバッジを表示するＷｅｂページ更新通知システム。
【請求項３】
請求項２記載の更新通知システムにおいて、
前記Ｗｅｂページ作成手段が、ＷｏｒｄＰｒｅｓｓ（登録商標）であり、
前記選択部が、前記ＷｏｒｄＰｒｅｓｓ（登録商標）用のプラグインとして実現されるＷｅｂページ更新通知システム。
【考案の詳細な説明】
【技術分野】
【０００１】
本考案は、Ｗｅｂページ更新通知システムに関する。
【背景技術】
【０００２】
従来、例えば、特許文献１に開示されているように、サーバでの更新された情報をユーザ端末に対してプッシュ型で配信する情報配信サービスシステムが知られている。プッシュ型サービスシステムは、ユーザにコンテンツ情報を提供するコンテンツ保有提供装置と、コンテンツ提供装置に格納されているコンテンツ情報を更新するコンテンツ情報更新装置と、コンテンツ提供装置からコンテンツ情報の提供を受けるユーザ端末と、から構成されている。
【０００３】
コンテンツ保有提供装置は、コンテンツ情報更新装置から更新指示されたコンテンツ情報を更新し格納するとともに、ユーザ端末からの呼出しに応じて目的とするコンテンツ情報をユーザ端末に提供するコンテンツサーバと、コンテンツサーバに格納されている更新されたコンテンツ情報を管理する情報を一時記憶し、一時記憶した情報を必要に応じてユーザ端末に通知するプッシュサーバと、を備えている。コンテンツサーバは、コンテンツ情報更新装置から更新指示されたコンテンツ情報を内部で更新するとともに、更新されたコンテンツ情報を管理する情報をプッシュサーバに通知する。プッシュサーバは、コンテンツサーバから通知された管理情報を必要に応じてユーザ端末に通知する。
ユーザ端末は、プッシュサーバの管理情報に基づいた呼出し指示に応じて、該当する機能を起動し、コンテンツサーバに対して目的とするコンテンツ情報の読出しを要求する。
【先行技術文献】
【特許文献】
【０００４】
【特許文献１】特開２００２−３４４５２９号公報
【考案の概要】
【考案が解決しようとする課題】
【０００５】
本考案は、Ｗｅｂページが更新されたことを端末装置を所持する顧客に通知できるＷｅｂページ更新通知システムを提供することを目的とする。
【課題を解決するための手段】
【０００６】
前記目的に沿う本考案に係るＷｅｂページ更新通知システムは、Ｗｅｂページを作成するためのＷｅｂページ作成手段を有するサーバ装置と、
前記Ｗｅｂページを閲覧するアプリケーションが実行される端末装置と、を備え、
前記Ｗｅｂページ作成手段が、前記Ｗｅｂページが更新された際に前記端末装置に対してプッシュ通知を配信するか否かを選択するための選択部を有する。
【０００７】
本考案に係るＷｅｂページ更新通知システムにおいて、
前記Ｗｅｂページ作成手段が、前記選択部にて前記プッシュ通知を配信することが選択された場合に、プッシュサーバに対して前記プッシュ通知を配信することを指令するプッシュ通知配信指令部を更に有し、
前記端末装置が、前記プッシュサーバから前記プッシュ通知を受信すると、前記アプリケーションの通知アイコンバッジを表示できる。
【０００８】
本考案に係るＷｅｂページ更新通知システムにおいて、
前記Ｗｅｂページ作成手段が、ＷｏｒｄＰｒｅｓｓ（登録商標）であり、
前記選択部が、前記ＷｏｒｄＰｒｅｓｓ（登録商標）用のプラグインとして実現されることが好ましい。
【考案の効果】
【０００９】
本考案によれば、Ｗｅｂページが更新されたことを端末装置を所持する顧客に通知できるＷｅｂページ更新通知システムを提供できる。
【図面の簡単な説明】
【００１０】
【図１】本考案の一実施の形態に係るＷｅｂページ更新通知システムの構成図である。
【図２】同Ｗｅｂページ更新通知システムが備えるサーバ装置の説明図である。
【図３Ａ】同Ｗｅｂページ更新通知システムが備えるサーバ装置のＷｅｂページ作成手段が表示する表示画面を示す説明図である。
【図３Ｂ】同Ｗｅｂページ更新通知システムが備えるサーバ装置のＷｅｂページ作成手段が表示する設定画面を示す説明図である。
【図４Ａ】同Ｗｅｂページ更新通知システムが備える端末装置にインストールされたアプリケーションが起動される際の動作を示すフローチャートである。
【図４Ｂ】同Ｗｅｂページ更新通知システムがプッシュ通知を配信する際の動作を示すフローチャートである。
【考案を実施するための形態】
【００１１】
続いて、添付した図面を参照しつつ、本考案を具体化した実施の形態につき説明し、本考案の理解に供する。なお、図において、説明に関連しない部分は図示を省略する場合がある。
【００１２】
本考案の一実施の形態に係るＷｅｂページ更新通知システム１０は、図１に示すように、サーバ装置１２及び複数の端末装置１４を備えている。
サーバ装置１２及び複数の端末装置１４は、互いにネットワークＮを介して接続されている。このネットワークＮには、プッシュサーバを構築するプッシュサーバ装置１６が接続されている。
【００１３】
サーバ装置１２は、図２に示すように、Ｗｅｂページを作成するためのＷｅｂページ作成手段１２２を有している。Ｗｅｂページ作成手段１２２は、例えばＷｏｒｄＰｒｅｓｓ（登録商標）であり、サーバ装置１２によりＷｏｒｄＰｒｅｓｓ（登録商標）が構築される。
Ｗｅｂページ作成手段１２２は、Ｗｅｂページが更新された際にプッシュ通知を配信するか否かを選択するための選択部１２４及びプッシュ通知配信指令部１２６を有している。
【００１４】
選択部１２４は、例えば、ＷｏｒｄＰｒｅｓｓ（登録商標）用のプラグインとして提供され、図３ＡのＡ部に示すように、プッシュ通知のチェックボックスを表示する。なお、プッシュ通知については、図３Ｂに示すような設定画面にて、各種のプッシュサーバを使用するための設定ができるようになっている。
プッシュ通知配信指令部１２６は、図３Ａに示すプッシュ通知のチェックボックスがチェックされた場合、すなわち、選択部１２４にてプッシュ通知を配信することが選択された場合に、プッシュサーバ装置１６に対してプッシュ通知を配信するよう指令できる。
【００１５】
端末装置１４は例えばスマートフォンであり、Ｗｅｂページを運営する事業者の顧客（見込み客を含む）によって所持される。端末装置１４には、Ｗｅｂページを閲覧するアプリケーションが予めインストールされている。端末装置１４は、プッシュサーバ装置１６からプッシュ通知を受信すると、アプリケーションの通知アイコンバッジを表示する。
【００１６】
次に、Ｗｅｂページ更新通知システム１０の動作について説明する。
以下、端末装置１４にインストールされたアプリケーションを起動する際の動作及びプッシュ通知を配信する際の動作について、それぞれ図４Ａ及び図４Ｂに基づいて説明する。
なお、一般に、プッシュ通知を配信するための仕組みとして、ｉＯＳ（登録商標）で使用されるＡＰＮｓ（Ａｐｐｌｅ  Ｐｕｓｈ  Ｎｏｔｉｆｉｃａｔｉｏｎ  Ｓｅｒｖｉｃｅ）やＡｎｄｒｏｉｄ（登録商標）で使用されるＧＣＭ（Ｇｏｏｇｌｅ  Ｃｌｏｕｄ  Ｍｅｓｓａｇｉｎｇ）が知られているが、これらに限定されるものではない。
【００１７】
（端末装置１４にインストールされたアプリケーションを起動する際の動作）
（ステップＡ１）
図４Ａに示すように、端末装置１４にて実行されるアプリケーションが、サーバ装置１２のＷｅｂページ作成手段１２２に対して、プッシュ情報を要求する。
（ステップＡ２）
サーバ装置１２のＷｅｂページ作成手段１２２が、プッシュ情報を要求したアプリケーションに対して、プッシュ情報を返却する。
【００１８】
（ステップＡ３）
前述のアプリケーションが、プッシュサーバ装置１６に対して、プッシュ用トークンの取得を要求する。
（ステップＡ４）
プッシュサーバ装置１６が、プッシュ用トークンの取得を要求したアプリケーションに対して、プッシュ用トークンを返却する。
【００１９】
（ステップＡ５）
プッシュ用トークンが返却されたアプリケーションが、そのプッシュ用トークンを端末装置１４に保存する。
（ステップＡ６）
プッシュ用トークンが返却されたアプリケーションが、サーバ装置１２のＷｅｂページ作成手段１２２に対して、プッシュ用トークンを送信する。
（ステップＡ７）
サーバ装置１２のＷｅｂページ作成手段１２２が、受信したプッシュ用トークンをサーバ装置１２に保存する。
（ステップＡ８）
サーバ装置１２のＷｅｂページ作成手段１２２が、プッシュ用トークンの保存に成功したか否かについて、プッシュ用トークンを送信したアプリケーションに通知する。
【００２０】
（Ｗｅｂページ更新通知システム１０がプッシュ通知を配信する際の動作）
（ステップＢ１）
図４Ｂに示すように、Ｗｅｂページの管理者（Ｗｅｂページを運営者する事業者）が、Ｗｅｂページを更新する。
【００２１】
（ステップＢ２）
サーバ装置１２のＷｅｂページ作成手段１２２が有するプッシュ通知配信指令部１２６（図２参照）が、図３Ａに示すプッシュ通知のチェックボックスがチェックされている場合に、プッシュサーバ装置１６に対してプッシュ通知を配信することを指令し、プッシュ通知の配信を要求する。
【００２２】
（ステップＢ３）
プッシュサーバ装置１６が、Ｗｅｂページが更新された旨のプッシュ通知を各端末装置１４に対して配信する。各端末装置１４は、アプリケーションのアイコンにバッジを表示する。
端末装置１４を所持する顧客は、通知アイコンバッジが表示されることにより、Ｗｅｂページが更新されたことを知ることができる。その結果、顧客は、アプリケーションを起動してＷｅｂページを閲覧するので、更新したＷｅｂページのアクセス数が増加し、Ｗｅｂページを運営する事業者の集客又は売上が増大することが期待できる。
【００２３】
（ステップＢ４）
プッシュサーバ装置１６が、プッシュ通知の配信を要求したＷｅｂページ作成手段１２２に対し、端末装置１４毎にプッシュ通知に成功したか否かについて通知する。
【００２４】
このように、本実施の形態に係るＷｅｂページ更新通知システム１０によれば、Ｗｅｂページが更新されたことを端末装置１４を所持する顧客に通知できる。
【００２５】
以上、本考案の実施の形態を説明したが、本考案は、上記した形態に限定されるものでなく、要旨を逸脱しない条件の変更等は全て本考案の適用範囲である。
前述の実施の形態においては、外部のプッシュサーバ装置１６を使用してプッシュ通知を配信したが、プッシュサーバ装置１６を使用せずに、例えばＷｏｒｄＰｒｅｓｓ（登録商標）が構築されたサーバ装置１２がプッシュ通知を配信してもよい。
また、端末装置１４は、Ｗｅｂページが更新されると通知アイコンバッジを表示したが、任意の方法で更新があったことを表示できればよい。例えば、ステータスバーや通知領域に更新があった旨を表示することによって、更新があったことを通知してもよい。
【符号の説明】
【００２６】
１０  ページ更新通知システム
１２  サーバ装置
１４  端末装置
１６  プッシュサーバ装置
１２２  Ｗｅｂページ作成手段
１２４  選択部
１２６  プッシュ通知配信指令部
Ｎ  ネットワーク
【図１】
0003206496.tif 000003
【図２】
0003206496.tif 000004
【図３Ａ】
0003206496.tif 000005
【図３Ｂ】
0003206496.tif 000006
【図４Ａ】
0003206496.tif 000007
【図４Ｂ】
0003206496.tif 000008
【手続補正書】
【提出日】平成28年7月20日(2016.7.20)
【手続補正１】
【補正対象書類名】実用新案登録請求の範囲
【補正対象項目名】全文
【補正方法】変更
【補正の内容】
【実用新案登録請求の範囲】
【請求項１】
Ｗｅｂページを作成するためのＷｅｂページ作成手段を有するサーバ装置と、
前記Ｗｅｂページを閲覧するアプリケーションが実行される端末装置と、を備え、
前記Ｗｅｂページ作成手段が、前記Ｗｅｂページが更新された際に前記端末装置に対してプッシュ通知を配信するか否かを選択するための選択部を有するＷｅｂページ更新通知システム。
【請求項２】
請求項１記載のＷｅｂページ更新通知システムにおいて、
前記Ｗｅｂページ作成手段が、前記選択部にて前記プッシュ通知を配信することが選択された場合に、プッシュサーバに対して前記プッシュ通知を配信することを指令するプッシュ通知配信指令部を更に有し、
前記端末装置が、前記プッシュサーバから前記プッシュ通知を受信すると、前記アプリケーションの通知アイコンバッジを表示するＷｅｂページ更新通知システム。
【手続補正２】
【補正対象書類名】明細書
【補正対象項目名】０００８
【補正方法】削除
【補正の内容】